【事件の表示】
　特許第３２１６０１７号「断熱段窓」の請求項１〜５に係る特許に対する特許異議の申立てについて、次のとおり決定する。
【結　論】
　訂正を認める。
　特許第３２１６０１７号の請求項１に係る特許を維持する。
【理　由】
【１】手続きの経緯
　平成１２年　２月１８日：特許出願
　平成１３年　８月　３日：設定登録
　平成１４年　４月　４日：異議申立
　　　　　　　６月　７日：申立人に対し審尋
　　　　　　　７月　５日：審尋に対する回答書
　　　　　　　８月　１日：取消理由通知
　　　　　　１０月１５日：訂正請求（第１回）・意見書
　　　　　　１０月１８日：申立人に対し審尋
　　　　　　１２月２６日：審尋に対する回答書
　平成１５年　１月１６日：訂正拒絶理由通知
　　　　　　　３月１１日：手続補正・意見書
　　　　　　　３月１８日：取消理由通知
　　　　　　　５月１６日：訂正請求（第２回）・意見書
　　　　　　　　　　　　　（訂正請求（第１回）を取下げ）
　
【２】訂正の内容
（１）特許請求の範囲の訂正
（１−１）【請求項１】を次のとおり訂正。
　「金属製の上枠と、金属製の屋外側部材と金属製の屋内側部材とを断熱材を介して連結した断熱形材の下枠と、左右の縦枠とで方形状に連結され、かつ該上枠の内面屋内側に断熱材製の内側覆部材を取付けた断熱サッシ枠と、該断熱サッシ枠に装着した断熱建具で断熱サッシとし、
　該断熱サッシを上下に備え、上の断熱サッシの下枠と下の断熱サッシの上枠とを連結材で連結した断熱段窓であって、
　該連結材の金属製である第１連結材の屋内側は、下の断熱サッシの上枠で支持され、該第１連結材の屋外側が、下の断熱サッシの上枠と上の断熱サッシの下枠における屋外側部材にそれぞれ連結され、
　上の断熱サッシの下枠における屋内側部材を、該連結材の金属製である第２連結材で支持し、
　該第１連結材と第２連結材とを断熱材で連結することで、断熱サッシの上枠との熱橋を防止する部材としたことを特徴とする断熱段窓。」
（１−２）【請求項２】〜【請求項５】を削除。
　
（２）発明の詳細な説明の訂正
（２−１）段落【０００７】を次のとおり訂正。
　「【課題を解決するための手段】
　本発明は、金属製の上枠と、金属製の屋外側部材と金属製の屋内側部材とを断熱材を介して連結した断熱形材の下枠と、左右の縦枠とで方形状に連結され、かつ該上枠の内面屋内側に断熱材製の内側覆部材を取付けた断熱サッシ枠と、該断熱サッシ枠に装着した断熱建具で断熱サッシとし、
　該断熱サッシを上下に備え、上の断熱サッシの下枠と下の断熱サッシの上枠とを連結材で連結した断熱段窓であって、
　該連結材の金属製である第１連結材の屋内側は、下の断熱サッシの上枠で支持され、該第１連結材の屋外側が、下の断熱サッシの上枠と上の断熱サッシの下枠における屋外側部材にそれぞれ連結され、
　上の断熱サッシの下枠における屋内側部材を、該連結材の金属製である第２連結材で支持し、
　該第１連結材と第２連結材とを断熱材で連結することで、断熱サッシの上枠との熱橋を防止する部材としたことを特徴とする断熱段窓である。」
（２−２）段落【００１７】を次のとおり訂正。
　「【発明の実施の形態】
　まず、参考例について説明する。
　図１は断熱段窓の概略正面図であり、断熱サッシＡを上下２段に連結した断熱段窓が建物躯体Ｂの開口部Ｃに取付けてある。
　前記断熱サッシＡは断熱サッシ枠１に断熱建具２が縦辷り出し自在に装着されて断熱縦辷り出しサッシとしてある。
　前記断熱サッシ枠１は上枠３と下枠４と左右の縦枠５を方形状に連結してある。
　上の断熱サッシ枠１の下枠４と下の断熱サッシ枠１の上枠３が連結してある。
　上の断熱サッシ枠１の上枠３、左右の縦枠５と下の断熱サッシ枠１の下枠４、左右の縦枠５が前記開口部Ｃにそれぞれ取付けてある。」
（２−３）段落【００３１】を次のとおり訂正。
　「前記第１係合溝６１が下枠４の係止片３７に係合し、第２係合溝６２が上枠３の係止片１３に係合している。
　前記上取付片６３がビス７０で下枠４の屋内側縦板４３の下部に連結され、上断熱ライナー６７が屋内側縦板４３の屋内側面と下端面に接している。
　前記下取付片６４がビス７０で上枠本体１０の屋内側部材１２の縦板１２ｂに連結され、下断熱ライナー６８が屋内側部材１２の縦板１２ｂの屋内側面と上端面に接している。」
（２−４）段落【００３８】を次のとおり訂正。
　「次に連結材の参考である形態を説明する。
　前記連結材６０を図４に示すように断熱材製とし、連結材６０の上取付片６３、下取付片６４を直接ビス７０で連結しても良い。」
（２−５）段落【００４１】を次のとおり訂正。
　「そして、本発明の実施の形態を説明すると、図６に示すように、連結材６０を金属製の第１連結材９０と金属製の第２連結材９１を断熱材９２で連結して第１連結材９０と第２連結材９１に熱が伝わらない形状とする。
　前記第１連結材９０は第１係合溝６１、第２係合溝６２、下取付片６４を有する形状である。
　前記第２連結材９１は上取付片６３を有する形状である。
　第１連結材９０の第１係合溝６１を下枠４の係合片３７に係合すると共に、第２係合溝６２を上枠３の係合片１３に係合し、下取付片６４をビス７０で屋内側部材１２の縦板１２ｂに固着する。
　第２連結材９１の上取付片６３をビス７０で屋内側縦板４３に固着する。」
（２−６）段落【００４４】を次のとおり訂正。
　「以下、参考である形態を説明すると、図８に示すように、連結材６０の第１連結部材９０を縦部９３と横部９４と屋外側縦板９５で断面略上向きコ字形状とし、その縦部９３の下部に第２係合溝６２を形成し、縦部９３の上部に前記係止片３７の下面に接する支持片９６を一体的に形成する。
　前記横部９４を上枠３の上枠本体１０の屋外側寄り上面に当接してビス７１で連結する。
　屋外側縦板９５の係合溝９５ａと下枠４の垂下片３５の係合片３５ａを係合して連結し、上枠３、下枠４、連結材６０の屋外側面を面一に連続する。」
（２−７）段落【００５４】を次のとおり訂正。
　「前記図８〜図１１に示す段熱段窓の上枠と下枠の連結構造を要約すると次のようである。
　下枠４は、屋外側部材３０の下面が屋内側部材４０の下面よりも下方に突出し、その屋外側部材３０の連結部は屋外側部に設けられた形状で、
　上枠３の上面は略同一高さで、上枠上面の屋内側と下枠４の屋内側部材４０の下面との間に空間部４６を形成し、この空間部４６に前記上枠の連結部が対向し、
　前記連結材６０は、前記空間部４６に設けられる屋内側部分と、この屋内側部分と連続し上枠上面と屋外側部材３０の下面との間に設けられた屋外側部分を有し、その屋内側部分が上枠３の連結部に連結されると共に、屋外側部分が下枠４の連結部と連結される。」
（２−８）段落【００５６】を次のとおり訂正。
　「本発明によれば、下の断熱サッシの上枠と上の断熱サッシの下枠が連結材で連結されていると共に、その連結材と下枠の屋内側部材の熱橋が防止されている。これによって金属製の上枠と断熱形材の下枠を強固に連結できると共に、上枠、下枠の屋外側部材から連結材を介して下枠の屋内側部材に熱が伝わり難くなる。
　したがって、金属製の上枠、断熱形材の下枠を有する断熱サッシ枠を備えた断熱サッシを上下２段に連結した断熱段窓とすることができる。」
（２−９）【図面の簡単な説明】を次のとおり訂正。
　「【図１】断熱段窓の概略正面図である。
【図２】上枠と下枠連結部の断面図である。
【図３】左右縦枠の横断面図である。
【図４】連結材の参考例を示す断面図である。
【図５】連結材の他の参考例を示す断面図である。
【図６】本発明の実施の形態の連結材を示す断面図である。
【図７】断熱引き違いサッシの上枠と下枠の連結部の断面図である。
【図８】連結材の参考例を示す断面図である。
【図９】連結材の参考例を示す上枠と下枠連結部の断面図である。
【図１０】連結材の他の参考例を示す上枠と下枠連結部の断面図である。
【図１１】連結材の他の参考例を示す上枠と下枠連結部の断面図である。」
（２−１０）【符号の説明】を次のとおり訂正。
　「Ａ…断熱サッシ
１…断熱サッシ枠
３…上枠
４…下枠
５…縦枠
１０…上枠本体
１３…係止片（連結部）
２０…内側覆部材
３０…屋外側部材
３７…係止片（連結部）
４０…屋内側部材
４５…カバー材
４６…空間部
５０…断熱材
６０…連結材
６１…第１係合溝
６２…第２係合溝
６３…上取付片
６４…下取付片
７３…カバー材」
　
【３】訂正の適否についての判断
　上記特許請求の範囲の訂正は、訂正前の請求項１に、
「前記連結材は下の断熱サッシの上枠で支持され、その連結材の屋外側が前記下の断熱サッシの上枠と上の断熱サッシの下枠における屋外側部材にそれぞれ連結され、
　前記上の断熱サッシの下枠における屋内側部材が、前記連結材の屋内側に接し、
　前記連結材は、前記上の断熱サッシの下枠における屋内側部材と下の断熱サッシの上枠との熱橋を防止する部材を具備」
　と記載されていた「連結材」について、図６，７に記載されていた実施例に基づき上記のとおり限定するとともに、請求項２〜５を削除したものであるから、特許請求の範囲の減縮に該当する。
　また、上記発明の詳細な説明の訂正は、前記特許請求の範囲の減縮に伴って、減縮された特許請求の範囲の記載と発明の詳細な説明の記載とを整合させるための不明瞭な記載の釈明、及び、誤記の訂正を目的とするものと認められる。そして、いずれの訂正も、新規事項の追加に該当せず、実質的に特許請求の範囲を拡張又は変更するものでもない。
　以上のとおりであるから、上記訂正は、特許法第１２０条の４第２項に規定する訂正の目的を満たすものであり、かつ、同条第３項で準用する第１２６条第２，３項の規定に適合するので、当該訂正を認める。
　
【４】特許異議申立てについての判断
（１）本件発明
　本件請求項１に係る発明（以下、「本件発明」という。）は、上記訂正明細書の請求項１に記載された事項により特定されるとおりのものである。
　
（２）異議申立ての理由の概要
　申立人は、証拠として甲第１〜３号証を提出し、訂正前の請求項１〜５に係る発明は、甲第１，２号証に記載された発明であり、あるいは、甲第１〜３号証に記載された発明に基いて当業者が容易に発明をすることができたものであり、特許法第２９条第１項第３号の規定に該当し、あるいは、同条第２項の規定により、特許を受けることができないのものであるから、訂正前の請求項１〜５に係る発明の特許を取り消すべき旨主張し、さらに、平成１４年１０月１８日付審尋に対する同年１２月２６日付回答書において、同年１０月１５日付訂正請求（平成１５年３月１１日付で手続補正）により訂正された訂正後の請求項１に係る発明は、依然として甲第１〜３号証に記載された発明に基いて当業者が容易に発明をすることができたものであり、特許法第２９条第２項の規定により、特許を受けることができないのものであるから、訂正後の請求項１に係る発明の特許を取り消すべき旨主張している。（なお、上記訂正請求は、平成１５年５月１６日付で取下げられると共に同日付で新たな訂正請求がなされたが、新たな訂正請求により訂正された特許請求の範囲は、取下げられた訂正請求により訂正しようとした特許請求の範囲と同一である。）
　
（３）甲号各証
　甲第１号証：意匠登録第１０２５１７５号公報
　甲第２号証：特開平１０−８８３２号公報
　甲第３号証：特開平１０−３７５９３号公報
　（なお、申立人は当初、甲第１号証の１〜３を提出したが、平成１４年６月７日付の申立人に対する審尋に対し、同年７月５日に回答書を提出し、甲第１号証は甲第１号証の１である旨、回答した。）
　
（４）対比・判断
　訂正後の本件発明と上記甲号各証記載の発明とを対比すると、甲号各証には、少なくとも本件発明の構成要件の一部である「連結材の金属製である第１連結材の屋内側は、下の断熱サッシの上枠で支持され、該第１連結材の屋外側が、下の断熱サッシの上枠と上の断熱サッシの下枠における屋外側部材にそれぞれ連結され、上の断熱サッシの下枠における屋内側部材を、連結材の金属製である第２連結材で支持し、該第１連結材と第２連結材とを断熱材で連結することで、断熱サッシの上枠との熱橋を防止する部材とした」点（以下、「本件特徴構成」という。）について何等記載されておらず、示唆もない。
　そして、本件発明は、上記本件特徴構成と他の構成とが相俟って、明細書記載の作用効果を奏するものである。
　したがって、本件発明は、甲第１，２号証記載の発明であるとも、甲第１〜３号証に記載の発明に基いて当業者が容易に発明をすることができたものとも、いえない。
　
（５）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１５年５月２９日（２００３．５．２９）
【訂正の要旨】
▲１▼　訂正事項ａ
　訂正前の【特許請求の範囲】の中の請求項２〜５を削除し、訂正前の請求項１を特許請求の範囲の減縮を目的とし、新請求項１とした。
　訂正前の特許請求の範囲
「【請求項１】　金属製の上枠と、金属製の屋外側部材と金属製の屋内側部材を断熱材を介して連結した断熱形材の下枠と、左右の縦枠が方形状に連結され、かつその上枠の内面屋内側に断熱材製の内側覆部材を取付けた断熱サッシ枠と、この断熱サッシ枠に装着した断熱建具で断熱サッシとし、
　前記断熱サッシを上下に備え、上の断熱サッシの下枠と下の断熱サッシの上枠を連結材で連結した断熱段窓であって、
　前記連結材は下の断熱サッシの上枠で支持され、その連結材の屋外側が前記下の断熱サッシの上枠と上の断熱サッシの下枠における屋外側部材にそれぞれ連結され、
　前記上の断熱サッシの下枠における屋内側部材が、前記連結材の屋内側に接し、
　前記連結材は、前記上の断熱サッシの下枠における屋内側部材と下の断熱サッシの上枠との熱橋を防止する部材を具備したことを特徴とする断熱段窓。
　【請求項２】　連結材を金属製とし、
この金属製の連結材は、上の断熱サッシの下枠における屋内側部材に断熱ライナーを介して連結されることで前記熱橋を防止する部材とした請求項１記載の断熱段窓。
　【請求項３】　連結材を断熱材製とすることで、前記熱橋を防止する部材とした請求項１記載の断熱段窓。
　【請求項４】　連結材を金属製の屋外側部材と樹脂製の屋内側部材を連結した形状とすることで、前記熱橋を防止する部材とした請求項１記載の断熱段窓。
　【請求項５】　連結材を金属製の第１連結材と金属製の第２連結部材を断熱材で連結した形状とすることで、前記熱橋を防止する部材とした請求項１記載の断熱段窓。」を、
　新しい特許請求の範囲
「【請求項１】　金属製の上枠と、金属製の屋外側部材と金属製の屋内側部材
と
と
該
該
　
該
　該連結材の金属製である第１連結材の屋内側は、下の断熱サッシの上枠で支持され、該第１連結材の屋外側が、下の断熱サッシの上枠と上の断熱サッシの下枠における屋外側部材にそれぞれ連結され、
　上の断熱サッシの下枠における屋内側部材を、該連結材の金属製である第２連結材を屋内側で支持し、
　該第１連結材と第２連結材とを断熱材で連結することで、断熱サッシの上枠との熱橋を防止する部材と
▲２▼　訂正事項ｂ
　前記【特許請求の範囲】の記載の訂正に伴い、【特許請求の範囲】の記載と【発明の詳細な説明】の記載との整合性を図るため、明りょうでない記載の釈明を目的として、段落番号【０００７】である
「　　　【０００７】
　【課題を解決するための手段】
　本発明は、金属製の上枠と、金属製の屋外側部材と金属製の屋内側部材を断熱材を介して連結した断熱形材の下枠と、左右の縦枠が方形状に連結され、かつその上枠の内面屋内側に断熱材製の内側覆部材を取付けた断熱サッシ枠と、この断熱サッシ枠に装着した断熱建具で断熱サッシとし、
　前記断熱サッシを上下に備え、上の断熱サッシの下枠と下の断熱サッシの上枠を連結材で連結した断熱段窓であって、
　前記連結材は下の断熱サッシの上枠で支持され、その連結材の屋外側が前記下の断熱サッシの上枠と上の断熱サッシの下枠における屋外側部材にそれぞれ連結され、
　前記上の断熱サッシの下枠における屋内側部材が、前記連結材の屋内側に接し、
　前記連結材は、前記上の断熱サッシの下枠における屋内側部材と下の断熱サッシの上枠との熱橋を防止する部材を具備したことを特徴とする断熱段窓である。」を
「　　　【０００７】
　【課題を解決するための手段】
　本発明は、金属製の上枠と、金属製の屋外側部材と金属製の屋内側部材
と
と
該
該
　
該
　該連結材の金属製である第１連結材の屋内側は、下の断熱サッシの上枠で支持され、該第１連結材の屋外側が、下の断熱サッシの上枠と上の断熱サッシの下枠における屋外側部材にそれぞれ連結され、
　上の断熱サッシの下枠における屋内側部材を、該連結材の金属製である第２連結材を屋内側で支持し、
　
該第１連結材と第２連結材とを断熱材で連結することで、断熱サッシの上枠との熱橋を防止する部材と
▲３▼　訂正事項ｃ
　前記【特許請求の範囲】の記載の訂正に伴い、【特許請求の範囲】の記載と【発明の詳細な説明】の記載との整合性を図るため、明りょうでない記載の釈明を目的として、段落番号【００１７】の２行目「図１は断熱段窓の概略正面図であり、」を「
まず、参考例について説明する。
　図１は断熱段窓の概略正面図であり、」に訂正する。
▲４▼　訂正事項ｄ
　誤記の訂正を目的として段落番号【００３１】の３行目「ビス７０で上枠４の」を「ビス７０で
下
▲５▼　訂正事項ｅ
　前記【特許請求の範囲】の記載の訂正に伴い、【特許請求の範囲】の記載と【発明の詳細な説明】の記載との整合性を図るため、明りょうでない記載の釈明を目的として、段落番号【００３８】の１行目「次に連結材の他の実施の形態」を「次に連結材の
参考例である
▲６▼　訂正事項ｆ
　前記【特許請求の範囲】の記載の訂正に伴い、【特許請求の範囲】の記載と【発明の詳細な説明】の記載との整合性を図るため、明りょうでない記載の釈明を目的として、段落番号【００４１】の１行目「図６に示すように、」を「
そして、本発明の実施の形態を説明すると、
▲７▼　訂正事項ｇ
　前記【特許請求の範囲】の記載の訂正に伴い、【特許請求の範囲】の記載と【発明の詳細な説明】の記載との整合性を図るため、明りょうでない記載の釈明を目的として、段落番号【００４４】の１行目「図８に示すように、」を「
以下、参考である形態を説明すると、
▲８▼　訂正事項ｈ
　誤記の訂正を目的として段落番号【００５４】の８行目「前記空間部６４に」を「前記空間部
４６
▲９▼　訂正事項ｉ
　前記【特許請求の範囲】の記載の訂正に伴い、【特許請求の範囲】の記載と【発明の詳細な説明】の記載との整合性を図るため、明りょうでない記載の釈明を目的として、段落番号【００５６】の１行目「請求項１に係る発明によれば、」を「
本
▲１０▼　訂正事項ｊ
　前記【特許請求の範囲】の記載の訂正に伴い、【特許請求の範囲】の記載と【図面の簡単な説明】の記載との整合性を図るため、明りょうでない記載の釈明を目的として、【図面の簡単な説明】の「【図４】連結材の他の例を示す断面図である。」を「【図４】連結材の
参考
▲１１▼　訂正事項ｋ
　前記【特許請求の範囲】の記載の訂正に伴い、【特許請求の範囲】の記載と【図面の簡単な説明】の記載との整合性を図るため、明りょうでない記載の釈明を目的として、【図面の簡単な説明】の「【図５】連結材の他の例を示す断面図である。」を「【図５】連結材の他の
参考
▲１２▼　訂正事項ｌ
　前記【特許請求の範囲】の記載の訂正に伴い、【特許請求の範囲】の記載と【図面の簡単な説明】の記載との整合性を図るため、明りょうでない記載の釈明を目的として、【図面の簡単な説明】の「【図６】連結材の他の例を示す断面図である。」を「【図６】
本発明の実施の形態の
▲１３▼　訂正事項ｍ
　前記【特許請求の範囲】の記載の訂正に伴い、【特許請求の範囲】の記載と【図面の簡単な説明】の記載との整合性を図るため、明りょうでない記載の釈明を目的として、【図面の簡単な説明】の「【図８】連結材の他の例を示す断面図である。」を「【図８】連結材の
参考
▲１４▼　訂正事項ｎ
　前記【特許請求の範囲】の記載の訂正に伴い、【特許請求の範囲】の記載と【図面の簡単な説明】の記載との整合性を図るため、明りょうでない記載の釈明を目的として、【図面の簡単な説明】の「【図９】本発明の第２の実施の形態を示す上枠と下枠連結部の断面図である。」を「【図９】
連結材の参考例
▲１５▼　訂正事項ｏ
　前記【特許請求の範囲】の記載の訂正に伴い、【特許請求の範囲】の記載と【図面の簡単な説明】の記載との整合性を図るため、明りょうでない記載の釈明を目的として、【図面の簡単な説明】の「【図１０】本発明の第３の実施の形態を示す上枠と下枠連結部の断面図である。」を「【図１０】
連結材の他の参考例
▲１６▼　訂正事項ｐ
　前記【特許請求の範囲】の記載の訂正に伴い、【特許請求の範囲】の記載と【図面の簡単な説明】の記載との整合性を図るため、明りょうでない記載の釈明を目的として、【図面の簡単な説明】の「【図１１】本発明の第４の実施の形態を示す上枠と下枠連結部の断面図である。」を「【図１１】
連結材の他の参考例
▲１７▼　訂正事項ｑ
　誤記の訂正を目的として【符号の説明】の１〜２行目「１…断熱サッシ　２…断熱サッシ枠」を「
Ａ
１
（５４）【発明の名称】
断熱段窓
（５７）【特許請求の範囲】
　【請求項１】　金属製の上枠と、金属製の屋外側部材と金属製の屋内側部材
と
と
該
該
　
該
　該連結材の金属製である第１連結材の屋内側は、下の断熱サッシの上枠で支持され、該第１連結材の屋外側が、下の断熱サッシの上枠と上の断熱サッシの下枠における屋外側部材にそれぞれ連結され、
　上の断熱サッシの下枠における屋内側部材を、該連結材の金属製である第２連結材を屋内側で支持し、
　該第１連結材と第２連結材とを断熱材で連結することで、断熱サッシの上枠との熱橋を防止する部材と
【発明の詳細な説明】
　【０００１】
　【発明の属する技術分野】
　本発明は、断熱サッシを上下２段に連結した断熱段窓に関する。
　【０００２】
　【従来の技術】
　特開平１０−６１３２６号公報に示す断熱サッシが知られている。
　具体的には、アルミニウム合金などの熱伝導体から成る上枠、アルミニウム合金などの熱伝導体から成る屋外側熱伝導体とアルミニウム合金などの熱伝導体から成る屋内側熱伝導体を比較的熱伝導率の低い硬質合成樹脂からなる媒体を介して連結した断熱形材の下枠、アルミニウム合金などの熱伝導体から成る左右の縦枠を連結した断熱サッシ枠と、この断熱サッシ枠内に装着した断熱障子で断熱サッシとしてある。
　【０００３】
　サッシを上下２段に連結した段窓としては、例えば特開平８−１９３４６４号公報に示す段窓が知られている。
　具体的には、下のサッシの上枠と上のサッシの下枠を連結材で連結してサッシを上下２段に連結して段窓としてある。
　【０００４】
　【発明が解決しようとする課題】
　前述の段窓はサッシのサッシ枠を形成する上枠、下枠がアルミニウム合金等の熱伝導体であるので、その上のサッシ枠の下枠と下のサッシ枠の上枠をアルミニウム合金等の連結材で連結しても何ら問題がない。
　【０００５】
　しかし、前述の断熱サッシは下枠が屋外側熱伝導体と屋内側熱伝導体を媒体を介して連結した断熱形材であるので、この断熱サッシを前述した従来の段窓と同様に連結材で連結すると、下枠の屋内側熱伝導体と上枠が連結材によって熱橋（熱が伝わる状態）となってしまうので断熱段窓としては好ましくない。
　【０００６】
　そこで、本発明は前述の課題を解決できるようにした断熱段窓を提供することを目的とする。
　【０００７】
　【課題を解決するための手段】
　本発明は、金属製の上枠と、金属製の屋外側部材と金属製の屋内側部材
と
と
該
該
　
該
　該連結材の金属製である第１連結材の屋内側は、下の断熱サッシの上枠で支持され、該第１連結材の屋外側が、下の断熱サッシの上枠と上の断熱サッシの下枠における屋外側部材にそれぞれ連結され、
　上の断熱サッシの下枠における屋内側部材を、該連結材の金属製である第２連結材を屋内側で支持し、
　該第１連結材と第２連結材とを断熱材で連結することで、断熱サッシの上枠との熱橋を防止する部材と
　【０００８】
　【０００９】
　【００１０】
　【００１１】
　【００１２】
　【作　　用】
　本発明によれば、下の断熱サッシの上枠と上の断熱サッシの下枠における屋外側部材が連結材で連結されていると共に、前記下枠の屋内側部材と下の断熱サッシの上枠との熱橋が防止されている。これによって下の断熱サッシの金属製の上枠と上の断熱サッシの断熱形材の下枠を強固に連結できると共に、前記上枠、下枠の屋外側部材から連結材を介して前記下枠の屋内側部材に熱が伝わり難くなる。
　したがって、金属製の上枠、金属製の屋外側部材を断熱材を介して連結した断熱形材の下枠を有する断熱サッシ枠を備えた断熱サッシを上下２段に連結した断熱段窓とすることができる。
　【００１３】
　【００１４】
　【００１５】
　【００１６】
　【００１７】
　【発明の実施の形態】
　
まず、参考例について説明する。
　図１は断熱段窓の概略正面図であり、断熱サッシＡを上下２段に連結した断熱段窓が建物躯体Ｂの開口部Ｃに取付けてある。
　前記断熱サッシＡは断熱サッシ枠１に断熱建具２が縦辷り出し自在に装着されて断熱縦辷り出しサッシとしてある。
　前記断熱サッシ枠１は上枠３と下枠４と左右の縦枠５を方形状に連結してある。
　上の断熱サッシ枠１の下枠４と下の断熱サッシ枠１の上枠３が連結してある。
　上の断熱サッシ枠１の上枠３、左右の縦枠５と下の断熱サッシ枠１の下枠４、左右の縦枠５が前記開口部Ｃにそれぞれ取付けてある。
　【００１８】
　前記上枠３は図２に示すように金属製の上枠本体１０と断熱材製の内側覆部材２０を備えている。
　前記上枠本体１０は屋外側部材１１と屋内側部材１２を有する。その屋外側部材１１は上横板１１ａと下横板１１ｂと屋外側縦板１１ｃと屋内側縦板１１ｄで中空形状で、その上横板１１ａは屋外側縦板１１ｃよりも屋外側に突出し、その突出した部分は下向き鉤形である。
　前記屋内側縦板１１ｄの上部（上枠本体１０の屋外内側方向中間の上部）に連結部、例えば係止片１３が屋内側に向けて一体的に設けてある。
　前記屋内側縦板１１ｄの下端部に突片１４が屋内側に向けて一体的に設けてある。
　【００１９】
　前記屋内側部材１２は、前記屋内側縦板１１ｄの下部に一体的に設けた屋内側に向かう横板１２ａと、この横板１２ａの屋内側端部に一体的に設けた縦板１２ｂで断面略上向鉤形である。
　前記縦板１２ｂの上端面は前記係止片１３と略同一高さで、上枠本体１０の上面は略同一高さである。
　前記縦板１２ｂの下端部には係止片１５が下向き（内向き）に一体的に設けてあり、この係止片１５と横板１２ａと突片１４で内側覆部材取付部１６を形成している。この内側覆部材取付部１６は上枠本体１０の内面における屋内側に形成してある。
　【００２０】
　前記上枠本体１０はアルミニウム合金の押出形材である。なお、上枠本体１０は鉄製でも良い。
　【００２１】
　前記内側覆部材２０の屋外寄り部２０ａは、前記突片１４に係止する第１係止片２１と前記係止片１５に係止する第２係止片２２を有し、その第１係止片２１と第２係止片２２で前記内側覆部材取付部１６に係止して取付けられる取付部２３を形成している。
　前記内側覆部材２０の屋内寄り部２０ｂは板状で、前記屋内側部材１２の屋内側の縦板１２ｂ（上枠本体１０の屋内側面）よりも屋内側に突出している。
　【００２２】
　前記内側覆部材２０はＰＶＣ樹脂などの断熱材製で、金属製の上枠本体１０の内面における屋内側を被覆している。
　これによって、上枠３の内面における屋内側に結露が生じない。
　【００２３】
　前記下枠４は図２に示すように金属製の屋外側部材３０と金属製の屋内側部材４０を断熱材５０を介して連結した断熱形材である。
　前記屋外側部材３０は上横板３１と下横板３２と屋外側縦板３３と屋内側縦板３４で中空形状で、下横板３２の屋外側寄り（屋外側部材３０の下面屋外側）に垂下片３５が一体的に設けてある。
　前記屋内側縦板３４の上部（屋外側部材３０の屋内側面）に断熱材連結部、例えば凹部３６が形成してある。この屋内側縦板３４の凹部３６よりも下方（断熱材連結部よりも下方）に連結部、例えば係止片３７が屋内側に向けて一体的に設けてある。
　【００２４】
　前記屋内側部材４０は屋外側縦板４１と横板４２と屋内側縦板４３で断面略Ｈ型で、その屋外側縦板４１の下部（屋内側部材４０の屋外側面の下部）に断熱材連結部、例えば凹部４４が形成してある。
　前記屋外側縦板４１の下端面は前記係止片３７よりも上方で、屋内側部材４０の屋外側下面は係止片３７よりも上方に位置している。
　前記屋内側縦板４３の下端面は前記係止片３７と略同一高さで、屋内側部材４０の屋内側下面は係止片３７と略同一高さである。
　すなわち、屋外側部材３０の下面よりも屋内側部材４０の下面が上方に位置している。
　【００２５】
　前記屋内側部材４０の屋内側縦板４３の上部４３ａは屋内側に向けて折曲して屋内側部材４０の屋内側面よりも屋内側に突出している。
　前記屋内側部材４０の屋外側縦板４１の上部４１ａは屋外側に向けて折曲して屋内側部材４０の屋外側面よりも屋外側に突出している。
　前記各上部４１ａ，４３ａに跨って断熱材製のカバー材４５がスナップ式に嵌合して取付けてある。
　これによって、屋内側部材４０の上面はカバー材４５で被覆される。
　【００２６】
　前記屋外側部材３０と屋内側部材４０はアルミニウム合金の押出形材である。断熱材５０は各凹部３６，４４にカシメで連結しても良いし、溶融した断熱材を注入して連結しても良い。
　【００２７】
　前記左右の縦枠５は図３に示すように金属製の縦枠本体５０と断熱材製の内側覆部材５１を備えている。この内側覆部材５１は縦枠本体５０の内面における屋内側部分にビス５２で固着され、金属製の縦枠本体５０の内面における屋内側を断熱材製の内側覆部材５１で被覆している。
　【００２８】
　次に上枠３と下枠４の連結構造について説明する。
　図２に示すように、上枠本体１０の上横板１１ａ（上枠本体１０の上面）に下枠４の垂下片３５を接して上枠３に下枠４を若干の隙間を置いて載置する。
　この状態で上枠本体１０の屋内側部材１２の縦板１２ｂ（屋内側面）と下枠４の屋内側部材４０の屋内側縦板４３（屋内側面）及び係止片１３と係止片３７が屋外内側方向にそれぞれ同一位置となる。
　また、上枠本体１０の上横板１１ａ（屋外側上面）と下枠４の屋外側部材３０の下横板３２（下面）が若干の隙間を置いて対向する。
　また、上枠本体１０の屋内側部材１２の縦板１２ｂの上端面（屋内側上面）と下枠４の屋内側部材４０の屋内側縦板４３の下端面（下面）が間隔を置いて対向し、連結材６０を設ける空間部４６を形成している。前記係止片１３、係止片３７は空間部４６にそれぞれ突出（対向）している。
　【００２９】
　前記連結材６０は矩形中空形状で、その屋外側上部、下部に第１連結部、第２連結部、例えば屋外側に開口した第１係合溝６１、第２係合溝６２が形成してある。
　前記連結材６０の屋内側上部、下部に上取付片６３、下取付
片
　前記連結材６０の上面屋内側、下面屋内側に上向凹条溝６５、下向凹条溝６６がそれぞれ形成してある。
　前記連結材６０はアルミニウム合金の押出形材である。なお、連結材６０は鉄製でも良い。つまり、連結材６０は金属製である。
　この連結材６０は上枠３、下枠４の全長に亘る長尺形状でも良いし、短尺で複数としても良い。
　【００３０】
　前記上向凹条溝６５に上断熱ライナー６７、下向凹条溝６６に下断熱ライナー６８がそれぞれ装着してある。
　前記上断熱ライナー６７は連結材６０の上面と上取付片６３の屋外側面に接するＬ字形状である。
　前記下断熱ライナー６８は連結材６０の下面と下取付片６４の屋外側面に接するＬ字形状である。
　前記上断熱ライナー６７、下断熱ライナー６８はＰＶＣ樹脂などの断熱材製である。
　【００３１】
　前記第１係合溝６１が下枠４の係止片３７に係合し、第２係合溝６２が上枠３の係止片１３に係合している。
　前記上取付片６３がビス７０で
下
　前記下取付片６４がビス７０で上枠本体１０の屋内側部材１２の縦板１２ｂに連結され、下断熱ライナー６８が屋内側部材１２の縦板１２ｂの屋内側面と上端面に接している。
　【００３２】
　このようであるから、連結材６０が上枠本体１０の屋内側縦板１２ｂと下枠４の屋内側部材４０にビス７０でそれぞれ強固に連結されると共に、連結材６０が上枠本体１０の係合片１３と下枠４の屋外側部材３０の係合片３７に係合して連結されるので、上枠３と下枠４が強固に連結される。
　また、連結材６０は上枠本体１０の屋内側部材１２の縦板１２ｂ、下枠４の屋内側部材４０に断熱ライナーを介して連結されるので、その連結部の熱橋が防止される。
　【００３３】
　上枠３の上枠本体１０上横板１１ａの屋外側に突出した部分から下枠４の屋外側部材３０下横板３２にビス７１を螺合して連結してある。
　この連結部にはスポンジなどの水密材７２が設けてある。
　【００３４】
　このようであるから、上枠３の屋外側部分と下枠４の屋外側部分が強固に連結されると共に、その連結部が水密材７２で水密される。
　【００３５】
　前記上枠３の内側覆部材２０の屋内寄り部２０ｂと下枠４の屋内側部材４０の屋内側縦板４３上部４３ａ（カバー材４５）に亘ってカバー体７３が取付けてある。
　このカバー体７３は樹脂などの断熱材製で、ビス７４で連結してある。なお、前述のカバー材４５は同一のビス７４で連結してある。
　【００３６】
　このようであるから、上枠３と下枠４の連結部の屋内側が断熱材製のカバー体７３で覆われ、その連結部の内観が見栄え良いと共に、結露が生じない。
　【００３７】
　前記断熱建具２は断熱框を用いたものや、屋内側に断熱材パネルを設けたもの等、屋外側と屋内側とに熱が伝導し難い形状である。
　【００３８】
　次に連結材の
参考である
　前記連結材６０を図４に示すように断熱材製とし、連結材６０の上取付片６３、下取付片６４を直接ビス７０で連結しても良い。
　【００３９】
　図５に示すように、前記連結材６０を金属製の屋外側連結材８０と樹脂製の屋内側連結材８１で形成する。
　屋内側連結材８１は中空形状で上取付片６３と下取付片６４を有する形状である。
　屋内側連結材８０は第１係合溝６１と第２係合溝６２を有する形状で、この屋外側連結材８０と屋内側連結材８１はスナップ式に係合して連結される。
　【００４０】
　屋内側連結材８１の上取付片６３、下取付片６４を前述と同様にビス７０で連結し、屋外側連結材８０の第１・第２係止溝６１，６２を前述と同様に係合片３７，１３にそれぞれ係合して連結する。
　【００４１】
　
そして、本発明の実施の形態を説明すると、
　前記第１連結材９０は第１係合溝６１、第２係合溝６２、下取付片６４を有する形状である。
　前記第２連結材９１は上取付片６３を有する形状である。
　第１連結材９０の第１係合溝６１を下枠４の係合片３７に係合すると共に、第２係合溝６２を上枠３の係合片１３に係合し、下取付片６４をビス７０で屋内側部材１２の縦板１２ｂに固着する。
　第２連結材９１の上取付片６３をビス７０で屋内側縦板４３に固着する。
　【００４２】
　図７は断熱引き違いサッシの上枠と下枠の連結部を示す断面図である。
　上枠３の上枠本体１０は上外レール１８を有し、内側覆部材２０は上内レール２４を有する。内側覆部材２０の上内レール２４よりも室内側部に補強材２５がビス止めされ、この補強材２５で上内レール２４を補強している。
　下枠４の屋外側部材３０は下外レール３８と下内レール３９を有する。
　【００４３】
　連結材６０の第１連結材９０の下取付片６４は内側覆部材２０にビス７０で固着される。
　第２連結材９１の上取付片６３は下枠４の屋内側部材４０にビス７０で固着される。
　【００４４】
　
以下、参考である形態を説明すると、
　前記横部９４を上枠３の上枠本体１０の屋外側寄り上面に当接してビス７１で連結する。
　屋外側縦板９５の係合溝９５ａと下枠４の垂下片３５の係合片３５ａを係合して連結し、上枠３、下枠４、連結材６０の屋外側面を面一に連続する。
　【００４５】
　上枠３の上枠本体１０の屋内寄り上面と第１連結材９０の屋内寄り下面の間及び、下枠４の屋外側部材３０の屋内寄り下面と第１連結材９０の屋内寄り上面の間をシール材７５でそれぞれシールする。
　このようにすることで、上枠３、下枠４、連結材６０の屋外側部の連結部から浸入した雨水等がシール材７５で屋内側に入り込むことがない。
　【００４６】
　図９は上の断熱サッシが嵌め殺しサッシで、下の断熱サッシが外開きサッシの場合の上枠と下枠の連結部を示す断面図である。
　上枠３は図４に示す上枠３と略同一形状である。下枠４は図４に示す下枠４と略同一形状で、かつ屋外側部材３０とカバー材４５で凹部３０ａを形成していると共に、係止片３７を有していない。
　連結材６０は図８に示す連結材６０と略同様に第１連結材９０と第２連結材９１を断熱材９２で連結した形状で、第１連結材９０は支持片９６を有していない。
　【００４７】
　第１連結材９０の横部９４を上枠３の上枠本体１０の屋内外側方向中間にビス７１で連結する。
　屋外側縦板９５と下枠４の垂下片３５を係合して連結し、上枠３、下枠４、連結材６０の屋外側面を面一に連続する。
　【００４８】
　図１０は上の断熱サッシが嵌め殺しサッシで、下の断熱サッシが内開きサッシの場合の上枠と下枠の連結部を示す断面図である。
　上枠３、下枠４は図９に示す上枠３、下枠４と略同一形状で、上枠本体１０は内側覆部材２０よりも下方に突出し、かつシール材装着溝を有する縦片１９を有する。下枠４は屋外側部材３０と屋内側部材４０で凹部３０ａを形成している。
　【００４９】
　連結材６０は図５に示す連結材６０と同様に長尺な金属製の屋外側連結材８０と短尺な樹脂製の屋内側連結材８１から成る。
　前記屋外側連結材８０は屋内側縦部８２と横部８３と屋外側縦部８４を有し、その屋内側縦部８２に上枠本体１０の係止片１３が係合する前述と同様な第２係合溝６２と、下枠４の屋外側部材３０に形成した係合溝８５に係合する係止片８６を有する。
　前記屋外側連結材８０は、係止片８６と第２係合溝６２を係合溝８５、係止片１３に係合すると共に、屋外側縦部８４の係合溝８４ａを垂下片３５の係合片３５ａに係合して上枠本体１０と下枠４の屋外側部材３０に仮取付けされる。
　屋内側縦部８２からビス８７を下枠４の屋外側部材３０の屋内側縦板３４に螺合して固着されると共に、横部８３をビス７１で上枠本体１０に固着する。
　【００５０】
　前記屋内側連結材８１は、屋内側縦部８２にスナップ式に係合して取付けられる。
　この屋内側連結材８１の上面に下枠４の屋内側部材４０の下端部（屋内側下向片４７の下端面）が接し、屋内側連結材８１の下面は上枠本体１０の屋内側上端部（縦板１２ｂの上端面）に接する。
　【００５１】
　図１１はカバー材７３の取付けの他の実施の形態を示す上枠と下枠の連結部の断面図である。
　上枠３、下枠４、連結材６０は図１０に示すものと同一形状である。
　カバー材７３は第１カバー材１００と第２カバー材１０１と第３カバー材１０２から成る。これらは樹脂製である。
　【００５２】
　上枠本体１０の屋内側面（縦板１２ｂ）と下枠４の屋内側部材４０の屋内側面（屋内側下向片４７）に取付金具１０３がビス１０４でそれぞれ固着してある。
　この取付金具１０３は上下の係止片１０５を有している。
　前記第１カバー材１００は上枠本体１０に取付けた取付金具１０３にスナップ式に係合して取付けられ、上枠本体１０の屋内側面を被覆する。
　前記第２カバー材１０１は下枠４の屋内側部材４０に取付けた取付金具１０３にスナップ式に係合して取付けられ、屋内側部材４０の屋内側面を被覆する。
　【００５３】
　前記第３カバー材１０２は第１カバー材１００と第２カバー材１０１との間から挿入されて屋内側連結材８１にスナップ式に係合して取付けられ、第１カバー材１００の屋内側面と第２カバー材１０１の屋内側面に両面接着テープなどの接着剤１０６で接着される。
　【００５４】
　前記図８〜図１１に示す段熱段窓の上枠と下枠の連結構造を要約すると次のようである。
　下枠４は、屋外側部材３０の下面が屋内側部材４０の下面よりも下方に突出し、その屋外側部材３０の連結部は屋外側部に設けられた形状で、
　上枠３の上面は略同一高さで、上枠上面の屋内側と下枠４の屋内側部材４０の下面との間に空間部４６を形成し、この空間部４６に前記上枠の連結部が対向し、
　前記連結材６０は、前記空間部
４６
　【００５５】
　以上の実施の形態では上枠、縦枠を内側覆部材を備えた形状としたが、上枠本体、縦枠本体のみで上枠、縦枠としても良い。
　【００５６】
　【発明の効果】
　
本
　したがって、金属製の上枠、金属製の屋外側部材と金属製の屋内側部材を断熱材を介して連結した断熱形材の下枠を有する断熱サッシ枠を備えた断熱サッシを上下２段に連結した断熱段窓とすることができる。
　【００５７】
　【００５８】
　【００５９】
　【００６０】
【図面の簡単な説明】
　【図１】
　断熱段窓の概略正面図である。
　【図２】
　上枠と下枠連結部の断面図である。
　【図３】
　左右縦枠の横断面図である。
　【図４】
　連結材の
参考例
　【図５】
　連結材の他の
参考
　【図６】
　
本発明の実施の形態の
　【図７】
　断熱引き違いサッシの上枠と下枠の連結部の断面図である。
　【図８】
　連結材の
参考
　【図９】
　
連結材の参考例
　【図１０】
　
連結材の他の参考例
　【図１１】
　
連結材の他の参考例
　【符号の説明】
　
Ａ
　
１
　３…上枠
　４…下枠
　５…縦枠
　１０…上枠本体
　１３…係止片（連結部）
　２０…内側覆部材
　３０…屋外側部材
　３７…係止片（連結部）
　４０…屋内側部材
　４５…カバー材
　４６…空間部
　５０…断熱材
　６０…連結材
　６１…第１係合溝
　６２…第２係合溝
　６３…上取付片
　６４…下取付片
　７３…カバー材